(57)【特許請求の範囲】
【請求項１】
屋根パネル本体の上面における屋根勾配方向に沿う側縁に、太陽電池モジュールの取付枠を設置し、この取付枠は、断面形状が溝形に形成されて、屋根パネル本体の側縁側の溝側板部が中央側の溝側板部よりも低く形成され、かつ中央側の溝側板部の上端に太陽電池モジュールの係合部を有するものとし、並設された屋根パネルの隣合う取付枠におけるパネル中央側の溝側板部間の隙間を蓋するジョイントカバーを設け、このジョイントカバーは、前記取付枠に取付けられる太陽電池モジュールの上面よりも下方に位置させ、前記取付枠におけるパネル中央側の溝側板部間の溝内側面にカバー係合部を設け、前記ジョイントカバーは断面形状が略ハット形のものであって、その両側縁を、並設された屋根パネルの隣合う取付枠における前記係合部に係合させ、このジョイントカバーの両側面と前記取付枠におけるパネル中央側の溝側板部の間に形成される溝形空間にガスケットを圧入し、かつ前記隣合う取付枠におけるパネル側縁側の溝側板部の間に第２のシール材を介在させた太陽電池付き屋根パネル間のジョイントシール構造。
【請求項２】
並設された屋根パネルの隣合う取付枠を、互いに左右対称の断面形状とした請求項１記載の太陽電池付き屋根パネル間のジョイントシール構造。
【発明の詳細な説明】
【０００１】
【発明の属する技術分野】
この発明は、太陽電池の設けられた屋根パネル間の接合部をシールする太陽電池付き屋根パネル間のジョイントシール構造に関する。
【０００２】
【従来の技術】
従来、太陽電池を一体化した屋根パネルでは、並設された屋根パネル相互のジョイント部に、太陽電池モジュールの取付枠に沿って、防水用の水切りを設け、カバー材で覆っている。
【０００３】
【発明が解決しようとする課題】
しかし、太陽電池モジュールの取付枠の他に、前記のように防水用の水切りが必要であるため、ジョイント部の構造が複雑で、部品点数が多く、現場での施工に手間がかかっている。また、カバー材は、上記のように水切りを覆うものであるため、見附寸法が大きくなり、屋根の意匠性に劣る。さらに、ジョイントのディテールによっては、建方順序を特定することが必要となり、建方が難しくなる。また、屋根パネルに製造誤差があった場合に、その誤差を吸収することが難しく、防水性能が低下することがある。
【０００４】
この発明の目的は、構成部品点数を削減できて、施工性に優れ、かつジョイント部の見附を小さく見せることができ、また屋根パネルに誤差があっても，防水性能が低下しない，また目立たなくできる太陽電池付き屋根パネル間のジョイントシール構造を提供することである。
この発明の他の目的は、部品種類数を削減すると共に、屋根パネルの施工順序の制限を無くすことである。
この発明のさらに他の目的は、簡単な施工で防水性の一層の確実を図ることである。
【０００５】
【課題を解決するための手段】
この発明の太陽電池付き屋根パネル間のジョイントシール構造は、屋根パネル本体の上面における屋根勾配方向に沿う側縁に、太陽電池モジュールの取付枠を設置し、この取付枠は、断面形状が溝形に形成されて、屋根パネル本体の側縁側の溝側板部が中央側の溝側板部よりも低く形成され、かつ中央側の溝側板部の上端に太陽電池モジュールの係合部を有するものとし、並設された屋根パネルの隣合う取付枠におけるパネル中央側の溝側板部間の隙間を蓋するジョイントカバーを設け、このジョイントカバーは、前記取付枠に取付けられる太陽電池モジュールの上面よりも下方に位置させたものである。
このように、太陽電池モジュールの取付枠を溝形に形成し、その中央側の溝側板部に太陽電池モジュールを取付けるようにしたため、前記取付枠で雨仕舞い用の内樋を兼用することができ、構成部品点数が削減される。また、ジョイントカバーの位置を太陽電池面よりも下げたため、雨水の道が作られ、太陽電池の汚れが防止される。また、ジョイントカバーの位置を太陽電池面よりも下げたため、見附を小さく見せることができ、意匠性に優れる。さらに、ジョイントカバーの位置を太陽電池面よりも下げたことにより、屋根パネルの誤差を目立たなくすることができる。
【０００６】
この発明において、並設される屋根パネルの隣合う取付枠は、互いに左右対称の断面形状としても良い。
このように取付枠を左右対称にすることにより、部品種類数が削減され、生産性の向上、部品コストの低下が図れる。また、取付枠を左右対称としたため、屋根パネルの施工順序の規制が無くなり、施工性に優れる。
【０００７】
前記取付枠における中央側の溝側板部間の溝内側面にカバー係合部を設け、前記ジョイントカバーは断面形状が略ハット形のものであって、その両側縁を、並設された屋根パネルの隣合う取付枠における前記係合部に係合させ、このジョイントカバーの両側面と前記取付枠におけるパネル中央側の溝側板部の間に形成される溝形空間にガスケットを圧入し、かつ前記隣合う取付枠におけるパネル側縁側の溝側板部の間に第２のシール材を介在させる。
この構成の場合、ガスケットが一次シールとなり、第２のシール材が二次シールとなって、二重シールによる確実な防水性が得られる。しかも、これらガストットおよび第２のシール材は、圧入等によって取付けることができ、施工が簡単である。さらに、ジョイントカバーも、太陽電池モジュールの取付枠に係合させることで取付けられるため、取付作業が簡単である。
【０００８】
【発明の実施の形態】
この発明の一実施形態を図１ないし図３と共に説明する。図４は、２枚の屋根パネル１，１を並設した状態を示す。屋根パネル１は、屋根パネル本体２の上に太陽電池モジュール３を設置した太陽電池一体型の屋根パネルであり、太陽電池モジュール３が屋根葺材を兼用する。屋根パネル本体２の上面には、両側縁と中間とに、屋根勾配方向に沿う取付枠４，５が取付けられ、太陽電池モジュール３は、取付枠４，５に両側縁が係合することで、取付けられている。取付枠４，５は、金属材料の押し出し成形材等からなる。太陽電池モジュール３は、複数の太陽電池を基盤に設置した平板状のものであり、屋根勾配方向に複数枚が並べて配置されている。なお、複数枚並べて配置される太陽電池モジュール３の一部のものに代えて、屋根葺材を取付けても良い。
屋根パネル１は、例えば図３に設置例を示すように、屋根の棟から軒まで延びる長さのものとされ、桁行方向に並設される。
【０００９】
図１は、屋根パネル１の接合部を拡大して示す断面図である。屋根パネル本体２は、パネルフレーム６とその上に設置された屋根板７とで構成される。パネルフレーム６は、溝形鋼等の金属製のものであり、パネルフレーム６のうち、屋根勾配方向に沿ったフレーム材は、在来工法の垂木に相当する。屋根板７は野地板となる。
【００１０】
太陽電池モジュール３を取付けるパネル側縁の取付枠４は、断面形状が溝形に形成されて、屋根パネル本体２の側縁側の溝側板部４ａが中央側の溝側板部４ｂよりも低く形成され、かつ中央側の溝側板部４ｂの上端に太陽電池モジュール３の係合部４ｃを有している。係合部４ｃは、上下に並んでパネル中央側に延びる一対の平行な突片４ｃａ，４ｃｂからなり、太陽電池モジュール３は上下の突片４ｃａ，４ｃｂの間に側縁が嵌合する。係合部４ｃは、取付枠４の略全長に渡って延びている。太陽電池モジュール３は、例えば周囲に接触端子を有するものとし、取付枠４に導電体としての機能を兼用させても良い。取付枠４の中央側の溝側板部４ｂには、中間高さ位置で溝内面側にカバー係合部４ｄが設けられている。カバー係合部４ｄは突片からなり、取付枠４の全長に渡って延びている。屋根パネル１の両側縁の取付枠４，４は、断面形状が互いに左右対称であり、したがって並設された屋根パネル１，１の隣合う取付枠４，４も、互いに左右対称である。
【００１１】
取付枠４のパネル本体２への取付けは、その溝形部分の底面を屋根板７に載せ、ドリル付きタッピンねじ等の固着具（図示せず）で溝底部分を屋根板７に固定することで行われる。取付枠４の溝形部分の底面と屋根板７の間には、発泡ゴム等からなるシール材８を介在させる。
【００１２】
図２に示すように、パネル中央の取付枠５は、太陽電池モジュール３を係合させる一対の係合部５ａ，５ａを上部の両側に設けたものである。各係合部５ａは、上下に並ぶ２枚の突片からなる。取付枠５の両側の係合部５ａ，５ａ間の部分は、溝状に形成され、その溝底板部５ｂは、太陽電池モジュール３の下面程度の高さとなるように設けられている。この屋根パネル１は、以上のように構成されている。
【００１３】
施工に際しては、各屋根パネル１は、図３や図４に示すように、複数枚が横方向（桁行方向）に並べて配置され、屋根梁（図示せず）等の建物躯体の構成部材上に、パネルフレーム６が金具類またはネジ類等の取付具（図示せず）で取付けられる。屋根パネル１の設置の後、隣合う屋根パネル１，１の並び部に、ジョイントシールの処置を行う。
【００１４】
このジョイントシールとして、屋根パネル１，１の並び部分には、隣合う取付枠４，４におけるパネル側縁側の溝側板部４ａ，４ａの間に第２のシール材９を介在させる。第２のシール材９は、発泡ゴム等の弾性体からなる。また、これらパネル側縁側の溝側板部４ａ，４ａに被さるように、パネル中央側の溝側板部間４ｂ，４ｂの隙間を蓋するジョイントカバー１０を設ける。ジョイントカバー１０は、断面形状が略ハット形のものであって、その両側縁に被係合部１０ａが形成されている。被係合部１０ａは、先端が二叉状となってその間に溝が形成された断面形状のものであり、屋根パネル１の取付枠４の係合部４ｄがその溝内に嵌まるように係合させる。ジョイントカバー１０の取付高さ位置は、上面が太陽電池モジュール３の下面と同程度となるように、係合部４ｄの位置等で設定される。
このジョイントカバー１０の下向き溝形部分の側面と取付枠４におけるパネル中央側の溝側板部４ｂの間に形成される溝形空間には、ガスケット１１を圧入する。このガスケット１１は、例えば、図示のように中央材部の両側に、複数のひれ部が差し込み方向に並んで形成されたゴム等の弾性体からなる。
なお、側縁の取付枠４および中央の取付枠５の断面の寸法は、中央の取付枠５の係合部５ａ，５ａ間の間隔が、並設された屋根パネル１，１の取付枠４，４の係合部４ｃ，４ｃ間の間隔と略等しくなるようにされる。
【００１５】
この構成のジョイントシール構造によると、太陽電池モジュール３の取付枠４を溝形に形成し、その中央側の溝側板部４ｂに太陽電池モジュールを取付けるようにしたため、取付枠４で雨仕舞い用の内樋を兼用することができ、構成部品点数が削減される。また、ジョイントカバー１０の位置を太陽電池面よりも下げたため、雨水の道が作られ、太陽電池モジュール３の太陽電池の汚れが防止される。また、ジョイントカバー１０の位置を太陽電池面よりも下げたため、見附を小さく見せることができ、意匠性に優れる。さらに、ジョイントカバー１０の位置を太陽電池面よりも下げたことにより、屋根パネル１の製造誤差を目立たなくすることができる。
隣合う取付枠４，４は左右対称にしたため、同じ断面形状のものを、向きを逆にして取付けだけで良く、部品種類数が削減され、生産性の低下、部品コストの低下が図れる。また、取付枠４を左右対称としたため、屋根パネル１の施工順序の規制が無くなり、施工性に優れる。
【００１６】
さらに、ガスケット１１が一次シールとなり、第２のシール材９が二次シールとなって、二重シールによる確実な防水性が得られる。しかも、これらガスケット１１および第２のシール材９は、圧入等によって取付けることができ、施工が簡単である。さらに、ジョイントカバー１０も、太陽電池モジュール３の取付枠４に係合により取付けられるため、取付作業が簡単である。
【００１７】
【発明の効果】
この発明の太陽電池付き屋根パネル間のジョイントシール構造は、太陽電池モジュールの取付枠に内樋を兼用させ、かつジョイントカバーを太陽電池モジュールの上面よりも下方に位置させたため、構成部品点数を削減できて、施工性に優れ、かつジョイント部の見附を小さく見せることができ、また屋根パネルに誤差があっても目立たなくできる。
並設される屋根パネルの隣合う取付枠を、互いに左右対称の断面形状とした場合は、部品種類数を削減すると共に、屋根パネルの施工順序の制限を無くすことができて、施工性がより一層向上する。ジョイントカバーを略ハット形として、取付枠の係合部に係合させ、ジョイントカバーと取付枠の間にガスケットを圧入し、かつ隣合う取付枠間に第２のシール材を介在させたため、簡単な施工で防水性のより一層の確実を図ることができる。
【図面の簡単な説明】
【図１】この発明の一実施形態にかかる屋根パネル間のジョイントシール構造の断面図である。
【図２】屋根パネルの中央側の太陽電池モジュール取付枠の周辺を示す断面図である。
【図３】２枚の屋根パネルの並設状態を示す斜視図である。
【図４】同屋根パネルの配置例を示す建物全体の斜視図である。
【符号の説明】
１…屋根パネル
２…屋根パネル本体
３…太陽電池モジュール
４…取付枠
４ａ…側縁側の溝側板部
４ｂ…中央側の溝側板部
６…パネルフレーム
７…屋根板
９…第２のシール材
１０…ジョイントカバー
１１…ガスケット
【図１】
0004311817.tif 000002
【図２】
0004311817.tif 000003
【図３】
0004311817.tif 000004
【図４】
0004311817.tif 000005